(57)【特許請求の範囲】
【請求項１】
各種シートに対して第１処理を行う第１処理部を有する第１装置本体と、
前記第１装置本体との間に設けられる回動軸周りで回動することにより、前記第１装置本体に対して閉鎖状態と開放状態とに変位可能に構成され、前記シートに対して第２処理を行う第２処理部を有する第２装置本体とを備え、
前記第１装置本体と前記第２装置本体との間には、前記第１処理部と前記第２処理部とを電気的に接続する少なくとも１本の被覆電線が設けられている画像処理装置であって、
前記第１装置本体と前記第２装置本体との間において、前記回動軸から離反する位置には、前記第２装置本体が前記閉鎖状態に変位する際には屈曲する一方、前記第２装置本体が前記開放状態に変位する際には展開するリンク機構が設けられ、
前記リンク機構は、展開時に前記第２装置本体を前記第１装置本体に対して前記開放状態に支持可能に構成され、
前記リンク機構は、第１部材と第２部材とカバー部材とを有し、
前記第１部材は、剛体によって形成され、前記第１装置本体との間に設けられる第１軸周りで前記第１装置本体に対して回動可能に構成され、
前記第２部材は、剛体によって形成され、前記第２装置本体との間に前記第１軸と平行に設けられた第２軸周りで前記第２装置本体に対して回動可能、かつ、前記第１部材との間に前記第１軸と平行に設けられた第３軸周りで前記第１部材に対して回動可能に構成され、
前記カバー部材は、前記第１部材と前記第２部材との間に設けられ、前記閉鎖状態及び前記開放状態で前記第１部材と前記第２部材との境界から前記被覆電線を隠蔽するように構成され、
前記被覆電線は、前記第２装置本体が前記閉鎖状態から前記開放状態まで変位することを可能にするたるみを有して前記リンク機構内に隠蔽状態で収納されていることを特徴とする画像処理装置。
【請求項２】
前記カバー部材は、前記閉鎖状態と前記開放状態との間で前記第１部材と前記第２部材との境界から前記被覆電線を隠蔽するように構成されている請求項１記載の画像処理装置。
【請求項３】
前記第２装置本体は前記第１装置本体に対して上下動可能に構成され、
前記リンク機構は、前記第２装置本体の上下動に追従可能に構成されている請求項１又は２記載の画像処理装置。
【請求項４】
前記第１部材及び前記第２部材は、前記閉鎖状態で互いに平行である請求項１乃至３いずれか１項記載の画像処理装置。
【請求項５】
前記カバー部材は、前記第１部材又は前記第２部材との間に前記第１軸と平行に設けられた第４軸周りで前記第１部材及び前記第２部材に対して回動可能な剛体によって形成されている請求項１乃至４のいずれか１項記載の画像処理装置。
【請求項６】
前記カバー部材と、前記第１部材及び前記第２部材の少なくとも一方との間には、前記カバー部材の姿勢を規制する規制部が設けられている請求項５記載の画像処理装置。
【請求項７】
前記第１部材及び前記第２部材の少なくとも一方の内部には、前記たるみを確保しつつ前記被覆電線を保持するガイド部が設けられている請求項１乃至６のいずれか１項記載の画像処理装置。
【請求項８】
前記第１部材及び前記第２部材の内部に前記ガイド部が設けられ、
前記ガイド部は、前記第１部材と前記第２部材との境界から前記被覆電線がはみ出さないように、前記たるみの一端側を常に保持する請求項７記載の画像処理装置。
【請求項９】
前記被覆電線は、複数本の被覆電線が帯状に一体化されたフレキシブルフラットケーブルであり、
前記回動軸と、前記第１軸、前記第２軸及び前記第３軸と、前記フレキシブルフラットケーブルの幅方向とが平行である請求項１乃至８のいずれか１項記載の画像処理装置。
【請求項１０】
前記リンク機構は、前記第２装置本体が前記開放状態から前記閉鎖状態へと急激に変位することを抑制する緩衝部材を有する請求項１乃至９のいずれか１項記載の画像処理装置。
【請求項１１】
前記第１装置本体は、前記第２装置本体が前記閉鎖状態に変位する際には閉鎖される一方、前記第２装置本体が前記開放状態に変位する際には開放されて、前記シートが載置される載置面を有し、
前記載置面は透明板材の外面により構成され、
前記第１処理部は、前記透明板材の内面側に配置されて、前記載置面に載置された前記シートの第１面の画像を読み取る第１読取部を有し、
前記第２処理部は、前記閉鎖状態において、複数枚の前記シートを１枚ずつ前記載置面に搬送するシート搬送機構を有する請求項１乃至１０のいずれか１項記載の画像処理装置。
【請求項１２】
前記第２処理部は、前記シート搬送機構に搬送される前記シートにおける前記第１面とは反対側の面である第２面の画像を読み取る第２読取部を有する請求項１１記載の画像処理装置。
【発明の詳細な説明】
【技術分野】
【０００１】
本発明は画像処理装置に関するものである。
【背景技術】
【０００２】
特許文献１に従来の画像処理装置の例が開示されている。この画像処理装置は、第１装置本体と、第１装置本体との間に設けられる回動軸周りで回動することにより、第１装置本体に対して閉鎖状態と開放状態とに変位可能に構成された第２装置本体とを備える。
【０００３】
第１装置本体には、画像形成部や画像読取部等が設けられている。また、第１装置本体において、第２装置本体が閉鎖状態に変位する際には閉鎖され、第２装置本体が開放状態に変位する際には開放される面は、シートが載置される載置面とされている。載置面は透明板材の外面により構成されている。画像読取部は、その透明板材の内面側に配設されており、載置面に載置されたシートの画像を読み取るようになっている。一方、第２装置本体には、閉鎖状態において複数枚のシートを１枚ずつ載置面に搬送するシート搬送機構が設けられている。
【０００４】
回動軸は第１装置本体の背面側に位置しており、その近傍には下方に向かって凹む凹部が設けられている。
【０００５】
第１装置本体の背面側と第２装置本体の背面側との間において、回動軸の近傍には、画像形成部や画像読取部等と、シート搬送機構等とを電気的に接続する被覆電線が設けられている。被覆電線は、「Ｚ」字状に折り曲げられた状態で凹部内に収納されている。この凹部により、被覆電線の露出を防止して、被覆電線に異物が引っ掛かって破損する不具合を生じ難くしている。
【先行技術文献】
【特許文献】
【０００６】
【特許文献１】特開２００１−１９７２３２号公報
【発明の概要】
【発明が解決しようとする課題】
【０００７】
しかし、上記従来の画像処理装置において、被覆電線には、以下に具体例を挙げるように、異物の引っ掛かりによる破損以外の不具合が生じる場合があり、そのような不具合も生じ難くすることが求められている。
【０００８】
すなわち、上記従来の画像処理装置では、厚みのある書籍を載置面に載置して第２装置本体を閉鎖状態にすると、第２装置本体の背面側が持ち上がる。そうすると、被覆電線の「Ｚ」字状に折り曲げられた部位が変形しながら追従するが、この際、被覆電線の一部が凹部内に収納されなくなって、外部に露出する場合がある。このため、被覆電線が静電気放電を受け易くなる。その結果、被覆電線により伝達される信号が乱れて制御不良や画像の処理品質の低下等が生じたり、被覆電線と接続される回路上の精密電子部品の損傷等が生じたりするおそれがある。
【０００９】
また、上記従来の画像処理装置では、第１装置本体及び第２装置本体の背面側に電磁波ノイズの発生源である電源回路やモータ等が設けられる場合が多いことから、被覆電線が電磁波ノイズの発生源の近傍に位置し易い。このため、被覆電線が電磁波ノイズの影響を受け易くなる。その結果、信号が乱れて制御不良や画像の処理品質の低下等が生じるおそれがある。
【００１０】
本発明は、上記従来の実情に鑑みてなされたものであって、第１装置本体と、第１装置本体に対して開閉される第２装置本体との間に設けられる被覆電線に不具合が生じ難い画像処理装置を提供することを目的とする。
【課題を解決するための手段】
【００１１】
本発明の画像処理装置は、各種シートに対して第１処理を行う第１処理部を有する第１装置本体と、
前記第１装置本体との間に設けられる回動軸周りで回動することにより、前記第１装置本体に対して閉鎖状態と開放状態とに変位可能に構成され、前記シートに対して第２処理を行う第２処理部を有する第２装置本体とを備え、
前記第１装置本体と前記第２装置本体との間には、前記第１処理部と前記第２処理部とを電気的に接続する少なくとも１本の被覆電線が設けられている画像処理装置であって、
前記第１装置本体と前記第２装置本体との間において、前記回動軸から離反する位置には、前記第２装置本体が前記閉鎖状態に変位する際には屈曲する一方、前記第２装置本体が前記開放状態に変位する際には展開するリンク機構が設けられ、
前記リンク機構は、展開時に前記第２装置本体を前記第１装置本体に対して前記開放状態に支持可能に構成され、
前記リンク機構は、第１部材と第２部材とカバー部材とを有し、
前記第１部材は、剛体によって形成され、前記第１装置本体との間に設けられる第１軸周りで前記第１装置本体に対して回動可能に構成され、
前記第２部材は、剛体によって形成され、前記第２装置本体との間に前記第１軸と平行に設けられた第２軸周りで前記第２装置本体に対して回動可能、かつ、前記第１部材との間に前記第１軸と平行に設けられた第３軸周りで前記第１部材に対して回動可能に構成され、
前記カバー部材は、前記第１部材と前記第２部材との間に設けられ、前記閉鎖状態及び前記開放状態で前記第１部材と前記第２部材との境界から前記被覆電線を隠蔽するように構成され、
前記被覆電線は、前記第２装置本体が前記閉鎖状態から前記開放状態まで変位することを可能にするたるみを有して前記リンク機構内に隠蔽状態で収納されていることを特徴とする。
【００１２】
本発明の画像処理装置では、上記構成であるリンク機構内に、被覆電線が隠蔽状態で収納されている。そして、第２装置本体の開閉時にリンク機構が展開又は屈曲しても、被覆電線が外部に露出することがない。このため、上記従来技術と比較して、被覆電線に異物が接触して破損する不具合が生じ難い。また、被覆電線が静電気放電を受け難いので、被覆電線により伝達される信号が乱れ難くなる。その結果、制御不良や画像の処理品質の低下等が生じ難くなるとともに、被覆電線と接続される回路上の精密電子部品の損傷等も生じ難い。
【００１３】
さらに、被覆電線を収納するリンク機構は回動軸から離反する位置に設けられている。このため、上記従来技術と比較して、被覆電線が電磁波ノイズの発生源の近傍に位置し難いので、被覆電線が電磁波ノイズの影響を受け難くなる。その結果、制御不良や画像の処理品質の低下等が生じ難い。
【００１４】
また、リンク機構の展開又は屈曲に伴って、リンク機構内の被覆電線が引っ張られそうになっても、上記たるみにより被覆電線がリンク機構の変位に容易に追従できる。このため、被覆電線に引張力が作用し難くなり、被覆電線の破損を防止できる。
本発明の画像処理装置において、リンク機構は、第１部材と第２部材とカバー部材とを有する。そして、第１部材は、剛体によって形成され、第１装置本体との間に設けられる第１軸周りで第１装置本体に対して回動可能に構成されている。また、第２部材は、剛体によって形成され、第２装置本体との間に第１軸と平行に設けられた第２軸周りで第２装置本体に対して回動可能、かつ、第１部材との間に第１軸と平行に設けられた第３軸周りで第１部材に対して回動可能に構成されている。さらに、カバー部材は、第１部材と第２部材との間に設けられ、第１部材と第２部材との境界から被覆電線を隠蔽するように構成されている。この構成によれば、リンク機構の簡素化や部品点数の削減により、製造コストの低廉化が図れる。
【００１５】
したがって、本発明の画像処理装置は、第１装置本体と、第１装置本体に対して開閉される第２装置本体との間に設けられる被覆電線に不具合が生じ難い。
【００１６】
さらに、リンク機構は、展開時に第２装置本体を開放状態に支持する支持部材を兼ねるので、部品点数削減と省スペース化を実現できる。また、回動軸の近傍に被覆電線を配設する上記従来技術と比較して、被覆電線のレイアウトの自由度が向上する。
【００１７】
本発明の画像処理装置において、第２装置本体は第１装置本体に対して上下動可能に構成され、リンク機構は、第２装置本体の上下動に追従可能に構成されていることが望ましい。
【００１８】
この構成によれば、第２装置本体は回動軸周りの回動だけでなく、第１装置本体に対する上下動も可能となる。この際、第２装置本体の上下動に追従して、リンク機構が展開又は屈曲するが、被覆電線はリンク機構内に隠蔽状態で収納されているとともに、上記たるみによってリンク機構の変位に容易に追従できる。このため、第２装置本体が上下動しても、被覆電線に上記各種の不具合が生じ難い。その結果、第２装置本体が各種シートの一例である１枚のシートから厚みのある書籍まで幅広く追従できるので、各種シートに対して第１処理及び第２処理を良好に実施できる。
【００１９】
【００２０】
本発明の画像処理装置において、カバー部材は、第１部材又は第２部材との間に第１軸と平行に設けられた第４軸周りで第１部材及び第２部材に対して回動可能な剛体によって形成されていることが望ましい。カバー部材が可撓性を有する場合、異物がカバー部材を変形させるほど強く接触すると、異物が変形したカバー部材を介して被覆電線に接触してしまうおそれがある。この点、剛体であるカバー部材を採用することにより、被覆電線に異物が接触することを確実に防止できる。
【００２１】
本発明の画像処理装置において、カバー部材と、第１部材及び第２部材の少なくとも一方との間には、カバー部材の姿勢を規制する規制部が設けられていることが望ましい。この構成によれば、規制部が剛体であるカバー部材の姿勢を規制して、被覆電線を確実に隠蔽するので、被覆電線に上記各種の不具合が確実に生じ難い。
【００２２】
本発明の画像処理装置において、第１部材及び第２部材の少なくとも一方の内部には、前記たるみを確保しつつ被覆電線を保持するガイド部が設けられていることが望ましい。この構成によれば、第２装置本体の開閉時、ガイド部により確保されたたるみが変形するので、被覆電線の他の部分（たるみ以外の部分）が捻れたり、屈曲したりして、破損することを抑制できる。
【００２３】
本発明の画像処理装置において、被覆電線は、複数本の被覆電線が帯状に一体化されたフレキシブルフラットケーブルであり、回動軸と、第１軸、第２軸及び第３軸と、フレキシブルフラットケーブルの幅方向とが平行であることが望ましい。この構成によれば、リンク機構の断面形状を扁平化でき、ひいては装置の小型化を実現できる。また、フレキシブルフラットケーブルがリンク機構内で変形する際に捻れ難くなるので、フレキシブルフラットケーブルが破損することを抑制できる。
【００２４】
本発明の画像処理装置において、リンク機構は、第２装置本体が開放状態から閉鎖状態へと急激に変位することを抑制する緩衝部材を有することが望ましい。上記従来技術では、装置の破損やユーザの怪我等を抑制するため、回動軸の近傍に緩衝部材を設けるのが一般的であり、設計の自由度が低かった。この点、リンク機構が緩衝部材を有する上記構成によれば、第２装置本体が開放状態から閉鎖状態に変位する際、リンク機構側で、急激に第２装置本体が閉じることを防止できるので、怪我を防止できるとともに、設計の自由度が向上する。
【００２５】
本発明の画像処理装置において、第１装置本体は、第２装置本体が閉鎖状態に変位する際には閉鎖される一方、第２装置本体が開放状態に変位する際には開放されて、シートが載置される載置面を有し、載置面は透明板材の外面により構成されていることが望ましい。そして、第１処理部は、透明板材の内面側に配置されて、載置面に載置されたシートの第１面の画像を読み取る第１読取部を有し、第２処理部は、閉鎖状態において、複数枚のシートを１枚ずつ載置面に搬送するシート搬送機構を有することが望ましい。この構成によれば、シートを載置面に載置するために、頻繁に第２装置本体が開閉されるので、本発明の作用効果を確実に享受できる。
【００２６】
上記の場合において、第２処理部は、シート搬送機構に搬送されるシートにおける第１面とは反対側の面である第２面の画像を読み取る第２読取部を有することが望ましい。この構成によれば、第１、２読取部によりシートの両面読取が可能となるが、第２装置本体側で読み取った画像データを第１装置本体側に伝達するための多数本の被覆電線がさらに必要となる。この場合でも、リンク機構内に多数本の被覆電線を容易に収納できるので、被覆電線に上記各種の不具合が生じ難いとともに、被覆電線のレイアウトの自由度が向上する。
【図面の簡単な説明】
【００２７】
【図１】実施例の画像処理装置の斜視図である（第２装置本体が閉鎖状態。）。
【図２】実施例の画像処理装置の上面図である。
【図３】実施例の画像処理装置の斜視図である（第２装置本体が開放状態。）。
【図４】実施例の画像処理装置の内部構成を示すブロック図である。
【図５】実施例の画像処理装置に係り、図２のＶ−Ｖ断面を示す断面図である。
【図６】実施例の画像処理装置の左側面図（部分断面図）である（第２装置本体が閉鎖状態。）。
【図７】図６のＶＩＩ−ＶＩＩ断面を示す要部拡大断面図である。
【図８】屈曲時のリンク機構の要部拡大側面図である。
【図９】屈曲時のリンク機構の要部拡大断面図である。
【図１０】実施例の画像処理装置の左側面図（部分断面図）である（第２装置本体が開放状態。）。
【図１１】展開時のリンク機構の要部拡大側面図である。
【図１２】展開時のリンク機構の要部拡大断面図である。
【図１３】実施例の画像処理装置の左側面図（部分断面図）である（第２装置本体が閉鎖状態、かつ第２装置本体の回動軸側が上昇した状態。）。
【発明を実施するための形態】
【００２８】
以下、本発明を具体化した実施例を図面を参照しつつ説明する。
【００２９】
（実施例）
図１に示すように、実施例の画像処理装置１０は、シート上の画像を読み取って電子データ化する機能や、その読み取った電子データを外部に送信するデータ送信機能（例えば、ＦＡＸ機能。）等の周知の画像処理機能を備えるものである。図１では、画像処理装置１０の操作パネル３側を装置の前側と規定し、操作パネル３の反対側を装置の後側（背面側）と規定する。また、装置を前側から見た場合に左手に来る側（操作パネル３に向かって左側）を左側と規定し、その反対側を右側と規定して、前後、左右及び上下の各方向を表示する。そして、図２〜図１３に示す各方向は、全て図１に示す各方向に対応させて表示する。以下、図１等に基づいて、画像処理装置１０が備える各構成要素について説明する。
【００３０】
１．画像処理装置の概略構成
図１〜図４に示すように、画像処理装置１０は、画像処理装置本体２０と、自動原稿搬送装置（ＡＤＦ：Ａｕｔｏ  Ｄｏｃｕｍｅｎｔ  Ｆｅｅｄｅｒ。以下、単に「ＡＤＦ」と呼ぶ。）１１とにより構成されている。
【００３１】
図１及び図２に示すように、ＡＤＦ１１は、画像処理装置本体２０の上面を覆うように配設されている。図３に示すように、画像処理装置本体２０の背面側の上端縁と、ＡＤＦ１１の背面側の下端縁との間には、１対のヒンジ部材４９Ｒ、４９Ｌが左右方向に間隔を有して配設されている。ＡＤＦ１１は、このヒンジ部材４９Ｒ、４９Ｌにより、画像処理装置本体２０に対して左右方向を向く回動軸Ｒ０周りで回動する。そして、ＡＤＦ１１の前部を上方に持ち上げる操作、又はその逆の操作を行うことにより、画像処理装置本体２０に対して、ＡＤＦ１１を図１に示す「閉鎖状態」と、図３に示す「開放状態」とに変位させることが可能となっている。ＡＤＦ１１が「開放状態」となっている場合、画像処理装置本体２０の上面が開放される。
【００３２】
なお、図２及び図３に示すように、画像処理装置本体２０とＡＤＦ１１との間には、詳細を後述するリンク機構１００が設けられている。リンク機構１００は、図２に示すように、ＡＤＦ１１が「閉鎖状態」に変位する際には屈曲する一方、図３に示すように、ＡＤＦ１１が「開放状態」に変位する際には展開するようになっている。また、図１３を示して後述する通り、ヒンジ部材４９Ｒ、４９Ｌは、画像処理装置本体２０に対して上下動が許容されており、これにより、ＡＤＦ１１の背面側も画像処理装置本体２０に対して上下動可能となっている。
【００３３】
２．画像処理装置本体
図１に示すように、画像処理装置本体２０の前面側には操作パネル３が設けられている。操作パネル３は、ユーザからの入力を受け付けたり、画像処理装置１０の処理状況等を表示する。また、図４のブロック図に示すように、画像処理装置本体２０の内部には、ＡＤＦ１１や操作パネル３等を制御する制御部２０１、各構成要素の給電する電源部２０２及びＬＡＮ回線や公衆電話回線を介して外部と通信する通信部２０３等が設けられている。なお、電源部２０２から電磁ノイズが発生する場合があるため、電源部２０２は、電磁ノイズをある程度遮蔽する対策が施された上で、画像処理装置本体２０の背面側に配設されることが多い。
【００３４】
図３及び図５に示すように、画像処理装置本体２０の上面側には、コンタクトガラス２２が設けられている。コンタクトガラス２２は、左側の固定読取用ガラス７９と、右側の移動読取用ガラス８０とに二分割されており、双方の間に後述する原稿離反部材８１が設けられている。コンタクトガラス２２（固定読取用ガラス７９及び移動読取用ガラス８０）の外面（上を向く面）は、各種シート（例えば、用紙、ＯＨＰシート、書籍。）が載置される載置面２２Ａとされている。
【００３５】
画像処理装置本体２０は、本発明の「第１装置本体」の一例である。図５に示すように、画像処理装置本体２０は、載置面２２Ａに載置される各種シートの画像読取処理を行う第１処理部４１を備えている。第１処理部４１は、操作パネル３、制御部２０１、電源部２０２、通信部２０３、コンタクトガラス２２及びイメージセンサ２５（本発明の「第１読取部」の一例。）等により構成されている。
【００３６】
２．１．第１読取部
画像処理装置本体２０の内部において、コンタクトガラス２２の下方には、イメージセンサ２５が設けられている。イメージセンサ２５としては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。画像処理装置本体２０の筐体の内側側面には、左右方向に延在するスライド軸７８が固定されている。イメージセンサ２５は、スライド軸７８にスライド自在に支持されており、図４に示すイメージセンサ駆動部２０４（例えば、プーリー・ベルト機構。）に駆動されることにより、スライド軸７８に沿って左右方向にスライドする。
【００３７】
ユーザが移動読取用ガラス８０上に１枚のシートや書籍を載置して、それらの表面の画像読取を行おうとする場合、すなわち、ＡＤＦ１１の自動原稿搬送機能を使用しない場合、イメージセンサ２５は、移動読取用ガラス８０の下方左側から下方右側に移動しつつ、上記シートや書籍の表面に形成された画像を読み取る。そして、イメージセンサ２５が読み取った画像は、制御部２０１に伝達されて電子データ化される。
【００３８】
３．ＡＤＦ
図１〜図３及び図５に示すように、ＡＤＦ１１は、複数枚のシートが積層された状態で載置される供給トレイ１２と、シートが排出される排出トレイ１４とを備えている。供給トレイ１２及び排出トレイ１４は、上下方向に二段に配設されている。
【００３９】
図４及び図５に示すように、ＡＤＦ１１は、供給トレイ１２に載置された複数枚のシート９を１枚ずつ連続して取り出して搬送経路１６に沿って自動的に搬送し、排出トレイ１４へ排出するシート搬送機構４２（本発明の「第２処理部」の一例。）を備える。また、ＡＤＦ１１は、搬送経路１６の途中でシート９の第２面９Ｂ（シート９が供給トレイ１２に載置された状態において、下方を向く面）に対して画像読取処理を行うイメージセンサ２４（本発明の「第２読取部」の一例。）を備える。
【００４０】
３．１．シート搬送機構
シート搬送機構４２において、搬送経路１６は、供給トレイ１２から左方向へ延びる第１搬送路２６と、第１搬送路２６に連続し、円弧状に下方へ向かって湾曲する湾曲搬送路２７と、湾曲搬送路２７に連続し、排出トレイ１４へ向けて右上方向に延びる第２搬送路２８とにより構成されている。
【００４１】
シート搬送機構４２は、本体フレーム３０と、アッパーガイド３４と、アンダーガイド３６とにより構成されるベース部材と、アッパーガイド３４の左側部分を上方から覆う上部カバー３２とを備えている。本体フレーム３０は、ＡＤＦ１１の底面及び側面を構成する箱状体である。アッパーガイド３４は、第１搬送路２６を下方から区画しつつ、供給トレイ１２から、後述する主ローラ６４の上方まで延在する板状体である。アンダーガイド３６は、第２搬送路２８を上方から区画しつつ、後述する主ローラ６４の下方から、後述する排出ユニット７０近傍まで延在する板状体である。
【００４２】
上部カバー３２の左端部は、本体フレーム３０の左端部に揺動可能に支持されている。図示は省略するが、上部カバー３２の右端部を上方に持ち上げることにより、第１搬送路２６の上方を開放して、シート詰まり等の不具合対応を実施可能となっている。
【００４３】
上部カバー３２の内側には、複数本の補強リブ２３１、２３２が設けられている。各補強リブ２３１、２３２は、上部カバー３２を閉じた状態において、下方に向かって突出しているとともに、右側端部から左側端部まで、すなわち、第１搬送路２６及び湾曲搬送路２７に沿って延在している。上部カバー３２の各補強リブ２３１、２３２と、アッパーガイド３４との間に第１搬送路２６が形成される。すなわち、上部カバー３２の各補強リブ２３１、２３２は、第１搬送路２６のガイド面を構成している。
【００４４】
本体フレーム３０の左端部及び上部カバー３２の各補強リブ２３１、２３２の左端部と、アッパーガイド３４の左端部及びアンダーガイド３６の左端部との間には、後述する主ローラ６４が配設されている。本体フレーム３０の左端部及び上部カバー３２の各補強リブ２３１、２３２の左端部と、主ローラ６４との間に湾曲搬送路２７が形成されている。すなわち、本体フレーム３０の左端部及び上部カバー３２の各補強リブ２３１、２３２の左端部と、主ローラ６４の外周面とは、湾曲搬送路２７のガイド面を構成している。
【００４５】
本体フレーム３０とアンダーガイド３６との間には、第２搬送路２８が形成されている。すなわち、アンダーガイド３６は、第２搬送路２８のガイド面を構成している。図３及び図５に示すように、ＡＤＦ１１の下面３１には、開口８４が設けられている。開口８４は、第２搬送路２８のうち湾曲搬送路２７との境界部分に位置している。この開口８４を介して、第２搬送路２８のうち湾曲搬送路２７との境界部分は、ＡＤＦ１１の下面３１に露出している。
【００４６】
湾曲搬送路２７から第２搬送路２８へと搬送されるシートは、開口８４を介して、固定読取用ガラス７９上を通過する。この際、固定読取用ガラス７９と移動読取用ガラス８０との間に設けられた原稿離反部材８１は、固定読取用ガラス７９に接しつつ搬送されるシートを固定読取用ガラス７９からすくい上げて、第２搬送路２８に確実に案内するようになっている。
【００４７】
また、シート搬送機構４２は、図５に示すように、以下に詳述する供給ユニット５０と、搬送ユニット６０と、排出ユニット７０とを備えている。
【００４８】
３．１．１．供給ユニット
供給ユニット５０は、第１搬送路２６の上流側（供給トレイ１２側）に設けられ、供給トレイ１２に載置された複数枚のシート９を上から順番に１枚つづ取り出して、第１搬送路２６の下流側に搬送するものである。供給ユニット５０は、アッパーガイド３４の上方（第１搬送路２６の上流側）に設けられた吸入ローラ５２と、分離ローラ５４と、分離パッド５７を有している。
【００４９】
分離ローラ５４は、本体フレーム３０に前端及び後端が回転可能に支持された第１回転軸５６の中央に設けられている。第１回転軸５６は、電動モータや多数のギヤからなる駆動源９９（図２及び図４に示す。）に駆動されて所定の回転方向（図５において時計まわり）に回転する。それに伴って、分離ローラ５４も第１回転軸５６と一体回転する。なお、駆動源９９を構成する電動モータ等から電磁ノイズが発生する場合があるため、駆動源９９は、電磁ノイズをある程度遮蔽する対策が施された上で、ＡＤＦ１１の背面側に配設されることが多い。
【００５０】
第１回転軸５６には、ホルダ５８が揺動可能に支持されている。ホルダ５８は、分離ローラ５４を囲いつつ第１搬送路２６の上流側（供給トレイ１２側）に延在しており、その延在する部位において、吸入ローラ５２を回動可能に支持している。吸入ローラ５２は、ホルダ５８内部に配設された図示しないギヤ群を介して第１回転軸５６と連結されている。これにより、第１回転軸５６が回転すると、分離ローラ５４のみならず、吸入ローラ５２も時計回りに回転する。それに伴って、ホルダ５８は、吸入ローラ５２を下方のアッパーガイド３４に向かって押し下げるように揺動する。
【００５１】
第１搬送路２６を挟んで分離ローラ５４と反対側には、分離パッド５７が配設されている。分離パッド５７は、分離ローラ５４の外周面に対して、下方から圧接されるようになっている。分離パッド５７は、典型的にはコルク片からなり、分離パッド５７の上方を通過するシートの第２面９Ｂと摺接して、シートに対して大きな摩擦力を発揮する。
【００５２】
吸入ローラ５２は、供給トレイ１２に載置された複数枚のシートの第１面９Ａに当接しつつ回転して、シートに搬送力を付与する。分離ローラ５４は、吸入ローラ５２により搬送されるシートの第１面９Ａに当接しつつ回転することにより、シートに搬送力を付与する。この際、分離ローラ５４と分離パッド５７との間を複数枚のシートが通過しようとすると、分離パッド５７の摩擦力により、分離ローラ５４と接している最上方のシートのみが分離されて第１搬送路２６の下流側に搬送される。
【００５３】
３．１．２．搬送ユニット
搬送ユニット６０は、供給ユニット５０により供給トレイ１２から１枚ずつ取り出されるシートを第１搬送路２６、湾曲搬送路２７及び第２搬送路２８に沿って搬送するものである。搬送ユニット６０は、アッパーガイド３４の上方において分離ローラ５４より左側（第１搬送路２６の途中において分離ローラ５４よりも下流側）に設けられた搬送ローラ６１と、湾曲搬送路２７に設けられた主ローラ６４と、ピンチローラ６２、６３、６５とを有している。
【００５４】
搬送ローラ６１は、本体フレーム３０に自己の前端及び後端が回転可能に支持された第２回転軸６６の中央に設けられている。第２回転軸６６は、第１回転軸５６と同様に、駆動源９９に駆動されて所定の回転方向（図５において時計まわり）に回転する。それに伴って、搬送ローラ６１も第２回転軸６６と一体回転する。
【００５５】
第１搬送路２６を挟んで搬送ローラ６１と反対側には、ピンチローラ６５が配設されている。分離ローラ５４により搬送されるシートは、搬送ローラ６１及びピンチローラ６５によりニップされる。そして、搬送ローラ６１は、第１搬送路２６に沿って搬送されるシートの第１面９Ａに当接しつつ回転することにより、シートに搬送力を付与する。
【００５６】
主ローラ６４は、本体フレーム３０に自己の前端及び後端が回転可能に支持された第３回転軸６７に設けられている。第３回転軸６７は、第１、２回転軸５６、６６と同様に、駆動源９９に駆動されて所定の回転方向（図５において反時計まわり）に回転する。それに伴って、主ローラ６４も第３回転軸６７と一体回転する。
【００５７】
湾曲搬送路２７を挟んで主ローラ６４と反対側には、ピンチローラ６２、６３が配設されている。搬送ローラ６１により搬送されるシートは、湾曲搬送路２７の上流側で、主ローラ６４及びピンチローラ６２によりニップされ、さらに、湾曲搬送路２７の下流側で、主ローラ６４及びピンチローラ６３によりニップされる。そして、主ローラ６４は、湾曲搬送路２７に沿って搬送されるシートの第２面９Ｂに当接しつつ回転することにより、シートに搬送力を付与して、第２搬送路２８の下流側に送り出す。
【００５８】
３．１．３．排出ユニット
排出ユニット７０は、搬送ユニット６０により第２搬送路２８に沿って搬送されるシートを排出トレイ１４に排出するものである。排出ユニット７０は、アンダーガイド３６の右側端部（第２搬送路２８の最下流側）に設けられた排出ローラ７２及びピンチローラ７４を備えている。排出ローラ７２は、本体フレーム３０に自己の前端及び後端が回転可能に支持された第４回転軸７１に設けられている。第４回転軸７１は、第１、２、３回転軸５６、６６、６７と同様に、駆動源９９に駆動されて所定の回転方向（図５において反時計まわり）に回転する。それに伴って、排出ローラ７２も第４回転軸７１と一体回転する。そして、第２搬送路２８に沿って送られたシートは、排出ローラ７２及びピンチローラ７４によりニップされ、排出トレイ１４に排出される。
【００５９】
３．２．第２読取部
第２読取部としてのイメージセンサ２４は、上述のイメージセンサ２５の同様に、ＣＩＳやＣＣＤ等の周知の画像読取センサが採用される。イメージセンサ２４は、アッパーガイド３４の左側部に上面を露出させた状態で埋設されている。すなわち、イメージセンサ２４は、第１搬送路２６の途中において、搬送ローラ６１よりも下流側、かつ、主ローラ６４よりも上流側に配設されており、第１搬送路２６を搬送されるシートの第２面９Ｂがイメージセンサ２４の上面側を通過するようになっている。
【００６０】
第１搬送路２６を挟んで、イメージセンサ２４と反対側には、白部材７６が設けられている。白部材７６は、コイルバネにより、イメージセンサ２４側へ弾性的に付勢されている。第１搬送路２６に沿って搬送されるシートは、白部材７６により、イメージセンサ２４側に押し付けられながら、イメージセンサ２４の上面側を通過する。これにより、イメージセンサ２４は、シートの第２面９Ｂに形成された画像を読み取る。そして、イメージセンサ２４が読み取った画像は、図４に示すように、ＡＤＦ１１と画像処理装置本体２０との間に設けられたフレキシブルフラットケーブル７（詳細は後述する。）を介して、制御部２０１に伝達されて電子データ化される。
【００６１】
３．３．ＡＤＦ動作時における第１読取部
第１読取部としてのイメージセンサ２５は、ＡＤＦ１１が動作する際に所定の画像読取位置１８に移動して停止する。この状態では、イメージセンサ２５の上面側は、開口８４を介して第２搬送路２８に臨む。搬送ユニット６０により搬送されるシートは、開口８４を介して固定読取用ガラス７９の画像読取位置１８に到達し、この際、シートの第１面９Ａがイメージセンサ２５の上面側を通過するようになっている。その後、そのシートは原稿離反部材８１により固定読取用ガラス７９からすくい上げられる。
【００６２】
第２搬送路２８を挟んで、画像読取位置１８で待機するイメージセンサ２５と反対側には、白部材８２が設けられている。白部材８２は、コイルバネにより、画像読取位置１８で待機するイメージセンサ２５側へ弾性的に付勢されている。第２搬送路２８に沿って搬送されるシートは、白部材８２により、イメージセンサ２５側に押し付けられながら、イメージセンサ２５の上面側を通過する。これにより、イメージセンサ２５は、シートの第１面９Ａに形成された画像を読み取る。そして、イメージセンサ２５が読み取った画像は、制御部２０１に伝達されて電子データ化される。
【００６３】
３．４．ＡＤＦの自動原稿読み取り動作
図５に示すように、ユーザが１枚又は複数枚のシート９を供給トレイ１２上に載置し、シートの先端部を供給ユニット５０に挿入する。そして、ユーザが操作パネル３を操作して、ＡＤＦ１１による自動原稿読み取り処理の開始を入力すると、制御部２０１は、ＡＤＦ１１を制御して自動原稿読み取り処理を開始する。そうすると、供給トレイ１２上のシートは、１枚ずつ取り出されて、搬送経路１６に沿って搬送される。その途中の第１搬送路２６で、第２面９Ｂに形成された画像がイメージセンサ２４により読み取られる。このシートは、さらに搬送経路１６に沿って送られ、湾曲搬送路２７を通過する際に表裏反転される。そして、シートの第１面９Ａに形成された画像がイメージセンサ２５によって読み取られる。その後、このシートは、第２搬送路２８で第１面９Ａを下にして排出トレイ１４上に排出される。この一連の動作は、供給トレイ１２上のシートがなくなるまで、自動的に繰り返される。
【００６４】
４．フレキシブルフラットケーブル
図４、図６及び図７に示すように、画像処理装置本体２０とＡＤＦ１１との間には、第１処理部４１と、シート搬送機構４２とを電気的に接続するフレキシブルフラットケーブル７（本発明の「被覆電線」の一例。）が設けられている。本実施例では、フレキシブルフラットケーブル７は、１２本の細い被覆電線が帯状に一体化されたものであり、幅が約１３ｍｍ、厚みが約１．１ｍｍ程度である。図４に示すように、フレキシブルフラットケーブル７を構成する各被覆電線の一端側は、それぞれ第１処理部４１を構成する制御部２０１等に電気的に接続されている。また、各被覆電線の他端側は、シート搬送機構４２を構成するイメージセンサ２４、駆動源９９及び搬送されるシートの位置を検出するセンサ（図示しない）等に接続されている。特に本実施例では、ＡＤＦ１１にもイメージセンサ２４を設けているので、フレキシブルフラットケーブル７を構成する被覆電線の本数が多くなっている。このようなフレキシブルフラットケーブル７は、ねじり、引っ張り又は異物の接触等により破損し易く、静電気放電や電磁波ノイズ（例えば、電源部２０２や駆動源９９から漏れる電磁波ノイズ。）の影響を受け易い。このため、フレキシブルフラットケーブル７は、以下に詳述するリンク機構１００内に隠蔽状態で収納されている。
【００６５】
５．リンク機構
図６及び図７に示すように、リンク機構１００は、第１部材１１０と第２部材１２０とカバー部材１３０とを有している。なお、図６及び図７は、ＡＤＦ１１が「閉鎖状態」に変位するのに伴って屈曲した状態のリンク機構１００を図示しており、この屈曲した状態を基準として以下の説明を行う。
【００６６】
５．１．第１部材
第１部材１１０は、長尺な角パイプ形状の剛体である。図示は省略するが、第１部材１１０は、熱可塑性樹脂の射出成形品である略「Ｉ」字断面部材と、略「Ｃ」字断面部材とが嵌め合わされてなる。
【００６７】
第１部材１１０は、画像処理装置本体２０の左端部上面から下方に向けて凹設された第１収容室２０Ａ内に収容されている。第１収容室２０Ａは、画像処理装置本体２０の左側前端部から後方に向かって細長く延在している。第１収容室２０Ａの後端は、回動軸Ｒ０に対して充分な間隔を有している。
【００６８】
第１部材１１０の前端部における両側面上方には、幅方向（左右方向）外側に向けて突出する１対の第１軸部１１１が一体成形されている。一方、第１部材１１０の後端部は、第１収容室２０Ａの後端近くまで延在している。
【００６９】
図７に示すように、第１軸部１１１は、第１収容室２０Ａの内側面に形成された凹部２０Ｂに嵌め込まれている。第１軸部１１１及び凹部２０Ｂにより、第１部材１１０は、画像処理装置本体２０との間に設けられ、左右方向を向く第１軸Ｒ１周りで画像処理装置本体２０に対して回動可能となっている。
【００７０】
５．２．第２部材
図６及び図７に示すように、第２部材１２０は、第１部材１１０と同様に、長尺な角パイプ形状の剛体である。図示は省略するが、第２部材１２０も、熱可塑性樹脂の射出成形品である略「Ｉ」字断面部材と、略「Ｃ」字断面部材とが嵌め合わされてなる。
【００７１】
第２部材１２０は、ＡＤＦ１１の左端部下面から上方に向けて凹設された第２収容室１１Ａ内に収容されている。第２収容室１１Ａは、ＡＤＦ１１の左側前端部から後方に向かって細長く延在している。第２収容室１１Ａの後端は、回動軸Ｒ０に対して充分な間隔を有している。
【００７２】
第２部材１２０の前端部における両側面下方には、幅方向（左右方向）外側に向けて突出する１対の第２軸部１２１が一体成形されている。一方、第２部材１２０の後端部は、第２収容室１１Ａの後端近くまで延在している。
【００７３】
図７に示すように、第２軸部１２１は、第２収容室１１Ａの内側面に形成された凹部１１Ｂに嵌め込まれている。第２軸部１２１及び凹部１１Ｂにより、第２部材１２０は、ＡＤＦ１１との間に設けられ、左右方向を向く第２軸Ｒ２周りでＡＤＦ１１に対して回動可能となっている。
【００７４】
図８及び図９に示すように、第１部材１１０及び第２部材１２０は、前後方向に水平に延びており、第２部材１２０が第１部材１１０に対して上方に位置している。第１部材１２０の後端部には上方に膨出する第１膨出部１１２が形成されている。第１膨出部１１２には、左右方向を向く第３軸穴１１３が貫設されている。一方、第２部材１２０の後端部には下方に膨出する第２膨出部１２２が形成されている。第２膨出部１２２には、左右方向を向く第３軸部１２３が凸設されている。第３軸部１２３は、第３軸穴１１３に内挿されている。第３軸穴１１３及び第３軸部１２３により、第２部材１２０は、第１部材１１０との間に設けられ、左右方向を向く第３軸Ｒ３周りで第１部材１１０に対して回動可能となっている。
【００７５】
５．３．カバー部材
図８及び図９に示すように、カバー部材１３０は、上下方向から見て、略「Ｃ」字断面形状の剛体であり、熱可塑性樹脂の射出成形品からなる。カバー部材１３０は、第１部材１１０の後端部と第２部材１２０の後端部とを後方から覆う状態で、第１部材１１０と第２部材１２０との間に設けられている。カバー部材１３０の上部には、第２部材１２０の後端部上方を覆う上側遮蔽部１３１が一体成形されている。また、カバー部材１３０の下部には、第２部材１２０の後端部下方を覆う下側遮蔽部１３２が一体成形されている。
【００７６】
図８（カバー部材１３０の左側面のみ図示する。紙面奥側に位置するカバー部材１３０の右側面も同様である。）に示すように、カバー部材１３０の左右両側面の前端側下方には、１対の第４軸穴１３４が貫設されている。そして、カバー部材１３０の左右両側面の前端側において各第４軸穴１３４より上方には、上下方向に細長い長穴形状の規制穴１３５が貫設されている。
【００７７】
一方、第１部材１１０の後端部における両側面下方には、幅方向（左右方向）外側に突出する１対の第４軸部１１４が凸設されている。第４軸部１１４は、第４軸穴１３４に内挿されている。第４軸部１１４及び第４軸穴１３４により、カバー部材１３０は、第１部材１１０との間に設けられ、左右方向を向く第４軸Ｒ４周りで第１部材１１０及び第２部材１２０に対して回動可能となっている。
【００７８】
また、第２部材１２０の後端部における両側面上方には、幅方向（左右方向）外側に突出する１対の規制軸部１２５が凸設されている。規制軸部１２５は、規制穴１３５に内挿されており、規制穴１３５の長手方向にスライド可能とされている。規制穴１３５及び規制軸部１２５（本発明の「規制部」の一例。）により、第２部材１２０が第３軸Ｒ３周りで第１部材１１０に対して回動する際、カバー部材１３０が第１部材１１０の後端部と第２部材１２０の後端部との境界を常に覆うように、カバー部材１３０の姿勢が規制される。
【００７９】
図１０〜図１２に、第２部材１２０が第３軸Ｒ３周りで第１部材１１０に対して回動した状態、すなわち、リンク機構１００が展開した状態を示す。図１１に示すように、規制軸部１２５が規制穴１３５の長手方向（第４軸部１１４側）にスライドすることにより、カバー部材１３０は、互いに対面する第１部材１１０の後端部と第２部材１２０の後端部との境界を後方から覆うように姿勢を変化させる。
【００８０】
５．４．リンク機構内におけるフレキシブルフラットケーブルの収納状態
図６に示すように、フレキシブルフラットケーブル７は、画像処理装置本体２０の内部から第１収容室２０Ａの前端部下方に導かれた後、第１部材１１０の前端部から第１部材１１０内に挿通されている。そして、フレキシブルフラットケーブル７は、第１部材１１０の後端部と、カバー部材１３０との間を通過して、Ｕ字状にカーブした後、第２部材１２０の後端部から第２部材１２０内に挿通されている。さらに、フレキシブルフラットケーブル７は、第１部材１１０の前端部から第２収容室１１Ａの前端部上方を介して、ＡＤＦ１１の内部に導かれている。この際、図７に一例を示すように、フレキシブルフラットケーブル７は、その幅方向を常に左右方向に向けた状態で折れ曲がっている。すなわち、図３及び図７に示すように、回動軸Ｒ０と、第１軸Ｒ１、第２軸Ｒ２、第３軸Ｒ３及び第４軸Ｒ４と、フレキシブルフラットケーブル７の幅方向とが平行となっている。こうすることで、第１部材１１０及び第２部材１２０の断面形状を扁平化でき、ひいては装置の小型化を実現できる。また、フレキシブルフラットケーブル７がリンク機構１００内で変形する際に捻れ難くなり、フレキシブルフラットケーブル７が破損することを抑制できる。
【００８１】
図９に示すように、第１部材１１０の後端側内部には、右側内壁面の上方から左側内壁面（紙面手間側）の上方に向けて、左右方向に突出する４本の扁平角柱状のリブ１１９Ａ、１１９Ｂ、１１９Ｃ、１１９Ｄが一体成形されている。また、第２部材１２０の後端側内部には、右側内壁面の下方から左側内壁面（紙面手間側）の下方に向けて、左右方向に突出する４本の扁平角柱状のリブ１２９Ａ、１２９Ｂ、１２９Ｃ、１２９Ｄが一体成形されている。リブ１１９Ａ〜１１９Ｄ、１２９Ａ〜１２９Ｄは、本発明の「ガイド部」の一例である。
【００８２】
第１部材１１０内に挿通されたフレキシブルフラットケーブル７は、第１部材１１０の上部内壁面に沿って後方に延びた後、リブ１１９Ａに沿って、下方に折れ曲がる。次に、上方に折れ曲がって、リブ１１９Ｂとリブ１１９Ｃとの間を通過した後、第１部材１１０の前方に向けて折れ曲がる。そして、第１部材１１０の上部内壁面と、リブ１１９Ｄとの間を通過した後、下方に向けてＵ字状に大きく湾曲して、第１部材１１０の後端部とカバー部材１３０との間を通過し、第２部材１２０の後端部に延びている。フレキシブルフラットケーブル７において、第１部材１１０側でＵ字状に大きく湾曲する部位がたるみ７Ａである。リブ１１９Ａ〜１１９Ｄは、たるみ７Ａの一端側を位置決めしつつ保持している。
【００８３】
第１部材１１０の後端部とカバー部材１３０との間を通過し、第２部材１２０の後端部に延びたフレキシブルフラットケーブル７は、第２部材１２０の上部内壁面に沿って前方に延びた後、下方に向けてＵ字状に大きく湾曲している。次に、第２部材１２０内の下部内壁面と、リブ１２９Ｄ、１２９Ｃとの間を前方から後方に向けて通過する。そして、上方に折れ曲がって、リブ１２９Ｃとリブ１２９Ｂとの間を通過した後、リブ１２９Ａに沿って下方に折れ曲がり、さらに、第２部材１２０の下部内壁面に沿って前方に延びている。フレキシブルフラットケーブル７において、第２部材１２０側でＵ字状に大きく湾曲する部位がたるみ７Ｂである。リブ１２９Ａ〜１２９Ｄは、たるみ７Ｂの一端側を位置決めしつつ保持している。
【００８４】
５．５．緩衝部材
図６及び図７に示すように、第１部材１１０と第１収容室２０Ａとの間には、ねじりコイルバネ１５０（本発明の「緩衝部材」の一例。）が配設されている。ねじりコイルバネ１５０の円形部は、左側の第１軸部１１１に外挿されている。図６に示すように、ねじりコイルバネ１５０の一端は、第１部材１１０の左側面に係合され、ねじりコイルバネ１５０の他端は、第１収容室２０Ａの底面に当接されている。これにより、ねじりコイルバネ１５０は、第１部材１１０を起き上がせるように付勢している。
【００８５】
５．６．リンク機構の展開動作
上記構成であるリンク機構１００は、図１０〜図１２に示すように、ＡＤＦ１１が「開放状態」に変位する際、以下のようにして、フレキシブルフラットケーブル７を隠蔽しつつ展開する。
【００８６】
すなわち、ユーザが図６に示す「閉鎖状態」のＡＤＦ１１の前部を上方に持ち上げると、ＡＤＦ１１は、画像処理装置本体２０に対して回動軸Ｒ０周りで回動して、図１０に示すように、「開放状態」に変位する。この際、第１部材１１０が第１軸Ｒ１周りで画像処理装置本体２０に対して回動し、第２部材１２０が第２軸Ｒ２周りでＡＤＦ１１に対して回動する。また、第３軸Ｒ３周りで回動可能に連結された第１部材１１０と第２部材１２０とが互いに平行な状態（角度０°）から、互いに反対方向を向く状態（角度１８０°）まで開く。そして、ねじりコイルバネ１５０が第１部材１１０を起き上がせるように付勢しているので、リンク機構１００は展開状態が保持されて、つっかい棒のようにＡＤＦ１１を支持する。
【００８７】
この間、図１２に示すように、フレキシブルフラットケーブル７は、リブ１１９Ａ〜１１９Ｄ、１２９Ａ〜１２９Ｄによりたるみ７Ａ、７Ｂの一端側が常に保持されている。このため、リンク機構１００が展開するのに伴って、フレキシブルフラットケーブル７にさらにたるみが生じても、たるみ７Ａ、７Ｂがそれぞれ第１部材１１０及び第２部材１２０の内部で移動して、リンク機構１００の展開に伴うたるみを吸収する。これにより、第１部材１１０の後端部と第２部材１２０の後端部との境界からフレキシブルフラットケーブル７がはみ出さない。また、フレキシブルフラットケーブル７が捻れたり、屈曲して破損する不具合が生じ難い。この際、カバー部材１３０が姿勢を変化させて、第１部材１１０の後端部と第２部材１２０の後端部との境界を常に後方から覆うので、フレキシブルフラットケーブル７を確実に隠蔽できる。
【００８８】
一方、ＡＤＦ１１が「閉鎖状態」に変位する際は、上記の逆となる。すなわち、説明を簡略するが、リンク機構１００の展開に伴う上記たるみは、リンク機構１００が屈曲する際に減少する。そうすると、たるみ７Ａ、７Ｂがそれぞれ第１部材１１０及び第２部材１２０の内部で元の位置まで復帰する。これにより、フレキシブルフラットケーブル７におけるたるみ７Ａ、７Ｂ以外の部位に引っ張り力が作用し難く、捻れたり、屈曲して破損する不具合が生じ難い。この際、第１部材１１０の後端部と第２部材１２０の後端部とが離反して双方の境界が拡大するが、カバー部材１３０が姿勢を変化させて、第１部材１１０の後端部と第２部材１２０の後端部とを常に後方から覆うので、フレキシブルフラットケーブル７を確実に隠蔽できる。
【００８９】
また、ねじりコイルバネ１５０が第１部材１１０を起き上がせるように付勢しているので、ＡＤＦ１１が「開放状態」から「閉鎖状態」へと急激に変位することを抑制できる。リンク機構１００を有しない上記従来技術では、回動軸の近傍に緩衝部材を設けるのが一般的であり、設計の自由度が低いのに対して、リンク機構１００がねじりコイルバネ１５０等の緩衝部材を有する上記構成によれば、設計の自由度が向上する。
【００９０】
なお、図１３に示すように、ヒンジ部材４９Ｒ、４９Ｌは、下方に延びる軸部４９Ａを有しており、画像処理装置本体２０の背面側上部から下方に向かって凹設された穴部２０Ｃに上下動可能に内挿されている。これにより、ヒンジ部材４９Ｒ、４９Ｌは、画像処理装置本体２０に対して上下動が許容されている。このため、載置面２２Ａに厚みのある書籍９Ｃを載置して、ＡＤＦ１１を「閉鎖状態」に変位させると、ＡＤＦ１１の背面側が画像処理装置本体２０に対して上方に変位して、ＡＤＦ１１の下面３１が書籍９Ｃの上面に倣うようになっている。
【００９１】
この際、ＡＤＦ１１の上昇に追従して、リンク機構１００が少し展開した状態となるが、リンク機構１００内に隠蔽状態で収納されたフレキシブルフラットケーブル７は、上記たるみ７Ａ、７Ｂによってリンク機構１００の変位に容易に追従できる。このため、ＡＤＦ１１が上下動しても、フレキシブルフラットケーブル７に上記各種の不具合が生じ難くなっている。その結果、ＡＤＦ１１が１枚のシートから厚みのある書籍まで幅広く追従できるので、各種シートに対する画像読取処理を良好に実施できる。
【００９２】
＜作用効果＞
実施例の画像処理装置１０では、上記構成であるリンク機構１００内に、フレキシブルフラットケーブル７が隠蔽状態で収納されている。そして、ＡＤＦ１１の開閉時にリンク機構１００が展開又は屈曲しても、フレキシブルフラットケーブル７が外部に露出することがない。このため、上記従来技術と比較して、フレキシブルフラットケーブル７に異物が接触して破損する不具合が生じ難い。また、フレキシブルフラットケーブル７が静電気放電を受け難いので、フレキシブルフラットケーブル７により伝達される信号が乱れ難くなる。その結果、制御不良や画像読取処理の品質低下等が生じ難くなるとともに、フレキシブルフラットケーブル７と接続される回路上の精密電子部品の損傷等も生じ難い。
【００９３】
さらに、フレキシブルフラットケーブル７を収納するリンク機構１００は回動軸Ｒ０から離反する位置に設けられている。このため、上記従来技術と比較して、フレキシブルフラットケーブル７が電磁波ノイズの発生源（例えば、電源部２０２や駆動源９９）の近傍に位置し難いので、フレキシブルフラットケーブル７が電磁波ノイズの影響を受け難くなる。その結果、制御不良や画像読取処理の品質低下等が生じ難い。
【００９４】
また、リンク機構１００の展開又は屈曲に伴って、リンク機構１００内のフレキシブルフラットケーブル７が引っ張られそうになっても、上記たるみ７Ａ、７Ｂによりフレキシブルフラットケーブル７がリンク機構１００の変位に容易に追従できる。このため、フレキシブルフラットケーブル７に引張力が作用し難くなり、フレキシブルフラットケーブル７の破損を防止できる。特に、この画像処理装置１０では、載置面２２Ａにシートを載置してその画像を読み取る際に、頻繁にＡＤＦ１１を「閉鎖状態」又は「開放状態」に変位させるので、フレキシブルフラットケーブル７の破損防止の効果を確実に享受できる。
【００９５】
したがって、実施例の画像処理装置１０は、画像処理装置本体２０と、画像処理装置本体２０に対して開閉されるＡＤＦ１１との間に設けられるフレキシブルフラットケーブル７に不具合が生じ難い。
【００９６】
さらに、リンク機構１００は展開時にＡＤＦ１１を開放状態に支持する支持部材を兼ねるので、部品点数削減と省スペース化を実現できる。また、回動軸の近傍に被覆電線を配設しなければならない上記従来技術と比較して、フレキシブルフラットケーブル７のレイアウトの自由度が向上する。
【００９７】
また、この画像処理装置１０によれば、リンク機構１００が上述の第１部材１１０と第２部材１２０とカバー部材１３０とを有する構成により、リンク機構１００の簡素化や部品点数の削減を実現しており、製造コストの低廉化が図れる。
【００９８】
さらに、この画像処理装置１０によれば、剛体であるカバー部材１３０を採用することにより、カバー部材が可撓性を有する場合（例えば、蛇腹構造のカバー部材。）と比較して、フレキシブルフラットケーブル７に異物が接触することを確実に防止できる。
【００９９】
また、この画像処理装置１０によれば、規制穴１３５及び規制軸部１２５が剛体であるカバー部材１３０の姿勢を規制して、フレキシブルフラットケーブル７を確実に隠蔽するので、フレキシブルフラットケーブル７に上記各種の不具合が確実に生じ難い。
【０１００】
以上において、本発明を実施例に即して説明したが、本発明は上記実施例に制限されるものではなく、その趣旨を逸脱しない範囲で適宜変更して適用できる。
【０１０１】
例えば、リンク機構は、２部材や３部材に限定されない。また、カバー部材は蛇腹等の可撓性部材でもよい。
【０１０２】
また、本実施例では説明の簡略化のため、「緩衝部材」の一例として第１部材１１０側に１個のねじりコイルバネ１５０を配設しているが、これに限定されるものではない。例えば、第２部材１２０側にねじりコイルバネ１５０を配設してもよいし、第１部材１１０及び第２部材１２０の両方にねじりコイルバネ１５０を配設してもよい。また、ねじりコイルバネ１５０の代わりに、ガスダンパやエラストマー等を採用してもよい。
【０１０３】
さらに、複数本のフレキシブルフラットケーブル７を厚み方向に積層した状態でリンク機構１００内に収納することにより、リンク機構１００を拡幅することなく、第１装置本体と第２装置本体との間により多くの被覆電線を設けることができる。
【産業上の利用可能性】
【０１０４】
本発明は画像処理装置に利用可能である。
【符号の説明】
【０１０５】
１０…画像処理装置、９…シート、９Ａ…シートの第１面、９Ｂ…シートの第２面
２０…第１装置本体（画像処理装置本体）、１１…第２装置本体（ＡＤＦ）
４１…第１処理部、４２…第２処理部（シート搬送機構）
７…被覆電線（フレキシブルフラットケーブル）、７Ａ、７Ｂ…たるみ
１００…リンク機構、１１０…第１部材、１２０…第２部材、１３０…カバー部材
Ｒ０…回動軸、Ｒ１…第１軸、Ｒ２…第２軸、Ｒ３…第３軸、Ｒ４…第４軸
１３５、１２５…規制部（１３５…規制穴、１２５…規制軸部）
１５０…緩衝部材（ねじりコイルバネ）
１１９Ａ〜１１９Ｄ、１２９Ａ〜１２９Ｄ…ガイド部
２２…透明板材（コンタクトガラス）、２２Ａ…載置面
２５…第１読取部（イメージセンサ）、２４…第２読取部（イメージセンサ）
【図１】
0005499629.tif 000002
【図２】
0005499629.tif 000003
【図３】
0005499629.tif 000004
【図４】
0005499629.tif 000005
【図５】
0005499629.tif 000006
【図６】
0005499629.tif 000007
【図７】
0005499629.tif 000008
【図８】
0005499629.tif 000009
【図９】
0005499629.tif 000010
【図１０】
0005499629.tif 000011
【図１１】
0005499629.tif 000012
【図１２】
0005499629.tif 000013
【図１３】
0005499629.tif 000014